(57)【要約】【課題】離れた場所に設置された振動検出器および各装置の各種設定を容易に変更可能な地震動計測システムを提供する。【解決手段】振動検出器１１とデータ処理装置２０のうち少なくとも何れか一方の動作内容を設定する動作設定情報を動作設定入力部（例えば、入力部４３等）により入力可能で、入力された動作設定情報を赤外線通信にて送信するリモコン装置４０を備え、このリモコン装置４０で入力した動作設定情報を表示装置３０を介して、前記データ処理装置に送信することで、離れた場所から振動検出器１１とデータ処理装置２０の動作設定を行う。【選択図】　図１
2004086481.tif 000002
【特許請求の範囲】
【請求項１】
地震動を検出した検出信号を出力する振動検出器と、
前記振動検出器の動作制御を行うとともに、前記振動検出器から出力された検出信号を地震動データに変換してデータ処理を行うデータ処理装置と、
前記データ処理装置に通信回線を介して接続され、前記データ処理装置によりデータ処理された処理データを表示する表示装置と、
を備える地震動計測システムにおいて、
前記振動検出器と前記データ処理装置のうち少なくとも何れか一方の動作内容を設定するための動作設定情報を入力可能な動作設定入力部と、
前記動作設定入力部により入力された動作設定情報を前記表示装置に無線通信にて送信する送信部と、を備えるリモコン装置を備え、
前記表示装置は、前記リモコン装置から動作設定情報を受信して、前記データ処理装置に送信する通信部を備えることを特徴とする地震動計測システム。
【請求項２】
前記動作設定入力部は、前記表示装置の表示動作内容を設定するための表示動作設定情報を入力可能に構成され、
前記送信部は、前記表示動作設定情報を前記表示装置に送信することを特徴とする請求項１記載の地震動計測システム。
【請求項３】
前記表示装置は警報器に接続され、
前記動作設定入力部は、前記警報器の警報動作内容を設定するための警報動作設定情報を入力可能に構成され、
前記送信部は、前記警報動作設定情報を前記表示装置に送信するとともに、前記通信部は、前記警報動作設定情報を受信して、前記警報器に送信することを特徴とする請求項１又は２に記載の地震動計測システム。
【発明の詳細な説明】
【０００１】
【発明の属する技術分野】
本発明は、地震動を計測する地震動計測システムに関する。
【０００２】
【従来の技術】
従来、地震動計測システムとして、例えば、検知地点に振動検出器を設置し、この振動検出器にて得られた地震動データに基づいてデータ処理装置により震度等を計算して遠隔地に設けられた表示装置に表示する計測震度計システムが知られている。
上記計測震度計システムでは、通常、表示装置は監視者がいる場所に設置され、振動検出器およびデータ処理装置は、表示装置から遠隔した場所に設置されている。そして、振動計測の各種設定の変更は、振動検出器およびデータ処理装置が設置されている場所に出向いて行っていた。
【０００３】
【発明が解決しようとする課題】
しかしながら、従来の計測震度計システムでは振動計測の各種設定を変更する場合、振動検出器およびデータ処理装置が設置されている場所にわざわざ出向いて行かなければならなかったので、煩雑であった。
また、表示装置は、少し離れた位置からも確認し易いように、壁面上部や天井等に設置されることが多いため、表示装置に操作スイッチが存在しても簡単には操作できないという問題があった。
【０００４】
本発明の課題は、離れた場所に設置された振動検出器および各装置の各種設定を容易に変更可能な地震動計測システムを提供することである。
【０００５】
【課題を解決するための手段】
上記課題を解決するため、
請求項１記載の発明は、例えば、図１〜５に示すように、地震動を検出した検出信号を出力する振動検出器１１と、
前記振動検出器の動作制御を行うとともに、前記振動検出器から出力された検出信号を地震動データに変換してデータ処理を行うデータ処理装置２０と、
前記データ処理装置に通信回線Ｎ１を介して接続され、前記データ処理装置によりデータ処理された処理データを表示する表示装置３０と、
を備える地震動計測システム１において、
前記振動検出器と前記データ処理装置のうち少なくとも何れか一方の動作内容を設定するための動作設定情報を入力可能な動作設定入力部（例えば、入力部４３等）と、
前記動作設定入力部により入力された動作設定情報を前記表示装置に無線通信にて送信する送信部（例えば、赤外線送信部４１等）と、を備えるリモコン装置４０を備え、
前記表示装置は、前記リモコン装置から前記動作設定情報を受信して、前記データ処理装置に送信する通信部（例えば、赤外線受信部３２ａ等）を備えることを特徴とする。
【０００６】
請求項１記載の発明によれば、リモコン装置の動作設定入力部により入力した振動検出器とデータ処理装置のうち少なくとも何れか一方の動作内容を設定するための動作設定情報が送信部により表示装置に無線通信され、表示装置の通信部によりデータ処理装置に送信されるので、振動検出器やデータ処理装置から遠隔した場所から表示装置を介して振動検出器やデータ処理装置の動作内容の設定を容易に行うことができる。
請求項２記載の発明は、請求項１に記載の地震動計測システムにおいて、
前記動作設定入力部は、前記表示装置の表示動作内容を設定するための表示動作設定情報を入力可能に構成され、
前記送信部は、前記表示動作設定情報を前記表示装置に送信することを特徴とする。
【０００７】
請求項２記載の発明によれば、請求項１に記載の発明と同様の効果が得られることは無論のこと、特に、動作設定入力部により、表示装置の表示動作設定情報が設定され、送信部により表示装置に送信されるので、表示装置が壁面上部や天井等に設置された場合でも容易に表示動作設定を変更することができる。
【０００８】
請求項３記載の発明は、請求項１又は２に記載の地震動計測システムにおいて、
前記表示装置は警報器５０に接続され、
前記動作設定入力部は、前記警報器の警報動作内容を設定するための警報動作設定情報を入力可能に構成され、
前記送信部は、前記警報動作設定情報を前記表示装置に送信するとともに、前記通信部は、前記警報動作設定情報を受信して、前記警報器に送信することを特徴とする。
【０００９】
請求項３記載の発明によれば、請求項１又は２に記載の発明と同様の効果が得られることは無論のこと、特に、動作設定入力部により警報器の警報動作内容を設定する警報動作設定情報が入力され、送信部により警報動作設定情報が表示装置に送信されるとともに、通信部により警報動作設定情報が警報器に送信されるので、警報器の動作設定も離れた位置から行うことができることとなって、警報器を有効に使うことができる。
即ち、例えば、警報器が手の届かない位置にあると、停止スイッチなどが押せないため、煩わしさがあるが、離れた場所から警報器の動作を設定可能なので、そうした煩わしさを解消することができる。
【００１０】
【発明の実施の形態】
以下、図１及び図２を参照して、本発明を適用した地震動計測システムの実施の形態を詳細に説明する。
【００１１】
図１は地震動計測システムの内部構成を示すブロック図である。
図１に示す地震動計測システム１は、別個の地点に設置された複数の振動検出器１１と、この振動検出器１１と通信回線Ｎ１を介して接続されたデータ処理装置２０と、このデータ処理装置２０と通信回線Ｎ２を介して接続された表示装置３０と、リモコン装置４０と、警報器５０などを備えている。
【００１２】
振動検出器１１は、例えば、加速度計であり、左右方向、前後方向、及び上下方向の３つの方向（例えば、Ｘ方向、Ｙ方向、Ｚ方向）の振動の大きさを示す電気信号（アナログ信号）を検出し、検出した電気信号を、通信回線Ｎ１を介してデータ処理装置２０に出力する。
【００１３】
データ処理装置２０は、アンプフィルタモジュール２１…と、Ａ／Ｄ変換器２２…と、ＣＰＵ（Ｃｅｎｔｒａｌ　Ｐｒｏｃｅｓｓｉｎｇ　Ｕｎｉｔ）２３と、ＲＡＭ（Ｒａｎｄｏｍ　Ａｃｃｅｓｓ　Ｍｅｍｏｒｙ）２４と、ＲＯＭ（Ｒｅａｄ　Ｏｎｌｙ　Ｍｅｍｏｒｙ）２５と、記憶部２６と、表示部２７と、Ｉ／Ｆ部２８などを備えている。
【００１４】
アンプフィルタモジュール２１…は、各振動検出器１１から常時送信されるアナログ信号である電気信号を増幅し、Ａ／Ｄ変換器２２へ出力するアンプである。ここで、アンプフィルタモジュール２１…は、所定の周波数帯域の信号、例えば、地震波を濾波して、Ａ／Ｄ変換器２２…へ出力する。この地震波の検出は、地震波の特徴である、周波数が低く、かつ振幅の大きい振動波のみを濾波することによって実現する。また、振動検出器１１からは、Ｘ方向、Ｙ方向、Ｚ方向の振動に係るアナログ信号が送信されるが、それぞれの信号を増幅して出力する。
【００１５】
Ａ／Ｄ変換器２２…は、アンプフィルタモジュール２１…によって増幅された電気信号（アナログ信号）を、デジタル信号である地震動計測データ（地震動データ）に変換し、ＣＰＵ２３に出力する。
【００１６】
ＣＰＵ２３は、ＲＯＭ２５に格納されているＩＰＬ（Ｉｎｉｔｉａｌ　Ｐｒｏｇｒａｍ　Ｌｏａｄｅｒ）プログラムやデータ処理プログラム等を実行して、処理データをＲＡＭ２４内のワークメモリエリアに格納するとともに、処理データを表示部２７に表示させる。
ここで、処理データとしては、地震動計測データから算出した震度データや、この震度データに基づいて作成される警報データ等がある。
警報データは、ＲＯＭ２５に記憶された警報判定データの値と、震度データの値とを比較して、震度データの値が警報判定データの値を超えた場合に生成されるデータである。そして、警報データが生成されると、かかる警報データに基づく警報信号が警報器５０に送信され、この警報器５０により警報が報知されるようになっている。
【００１７】
また、ＣＰＵ２３は、リモコン装置４０から表示装置３０を介して入力される動作設定情報に基づいて、振動検出動作或いはデータ処理動作を制御する。
具体的には、例えば、ＣＰＵ２３は、振動検出器１１で検出される振動の起動レベルの調整を行う動作設定情報に基づいて起動レベルの調整を行う。また、例えば、ＣＰＵ２３は、データ処理装置２０が備える記憶部２６への記憶方法を設定する動作設定情報に基づいて記憶方法の設定を行う。
【００１８】
また、ＣＰＵ２３は、処理データを予め指定された表示装置３０に通信回線Ｎ２を介して出力する。
さらに、ＣＰＵ２３は、Ａ／Ｄ変換器２２から入力される地震動計測データを記憶部２６に記録させる。
【００１９】
ＲＡＭ２４は、アンプフィルタモジュール２１等を介して振動検出器１１から送信される地震動計測データを格納するリングバッファや、データ処理等の各種処理に係る各種データを格納するワークメモリエリアを形成している。
【００２０】
ＲＯＭ２５は、ＣＰＵ２３によって起動時に実行されるＩＰＬプログラムや、各種データ処理プログラムの他、ＩＰＬプログラムやデータ処理プログラムに係る各種初期設定値等を格納する。
【００２１】
記憶部２６は、処理データを記録するための記憶媒体（図示省略）を有しており、この記憶媒体は磁気的、光学的な記憶媒体、若しくは半導体メモリで構成されている。また、この記憶媒体は記憶部２６に固定的に設けられたもの、若しくは着脱自在に装着されるものであり、ハードディスクドライブやメモリカード等の何れの媒体であってもよい。
【００２２】
表示部２７は、例えば、ＬＣＤ（Ｌｉｑｕｉｄ　Ｃｒｙｓｔａｌ　Ｄｉｓｐｌａｙ）やＣＲＴ（Ｃａｔｈｏｄｅ　Ｒａｙ　Ｔｕｂｅ）などにより構成され、ＣＰＵ２３によりデータ処理された処理データを表示する。
【００２３】
Ｉ／Ｆ部２８は、振動検出器１１や表示装置３０との間で信号やデータを入出力するためのインターフェイスであり、例えば、ＵＳＢ（Ｕｎｉｖｅｒｓａｌ　Ｓｅｒｉａｌ　Ｂｕｓ）ポートやＲＳ−４８５Ｃ端子をはじめとするシリアル入出力端子、パラレル入出力端子、ＳＣＳＩインターフェイス等が備えられ、有線または無線通信手段により振動検出器１１や表示装置３０と接続することが可能である。
通信回線Ｎ１、Ｎ２は、有線であっても無線であってもよく、例えば、電話回線、通信ケーブル等により構成されている。
【００２４】
表示装置３０は、例えば、図２に示すように、ＬＣＤ（Ｌｉｑｕｉｄ　Ｃｒｙｓｔａｌ　Ｄｉｓｐｌａｙ）やＣＲＴ（Ｃａｔｈｏｄｅ　Ｒａｙ　Ｔｕｂｅ）などからなる表示部３１と、通信部３２と、制御部３３などを備え、データ処理装置２０により出力された処理データを表示する。
【００２５】
通信部３２は、リモコン装置４０から赤外線により送信された動作設定情報を受信する赤外線受信部３２ａと、データ処理装置２０や警報器５０に出力するためのＩ／Ｆ部３２ｂを備える。
【００２６】
赤外線受信部３２ａは、例えば、フォト・ダイオード等からなる赤外線受光素子（図示省略）を備え、後述するリモコン装置４０の赤外線送信部４１から送信される光パルス信号を受信し、この光パルス信号を電気信号に光電変換し、かかる電気信号を受信データとして、制御部３３に出力する。
【００２７】
制御部３３は、入力した受信データが表示装置３０の動作設定情報の場合、当該動作設定情報によって表示設定の変更を行う。また、制御部３３は、入力した受信データが振動検出器１１やデータ処理装置２０の動作設定情報の場合、当該動作設定情報を、Ｉ／Ｆ部３２ｂを介してデータ処理装置２０に出力させ、入力した受信データが警報器５０の動作設定情報の場合、当該動作設定情報を、Ｉ／Ｆ部３２ｂを介して警報器５０に出力する。
【００２８】
Ｉ／Ｆ部３２ｂは、データ処理装置２０や警報器５０との間で信号やデータを入出力するためのインターフェイスである。
【００２９】
リモコン装置４０は、例えば、図３に示すように、赤外線送信部４１、制御部４２、入力部４３、表示部４４などを備え、振動検出器１１、データ処理装置２０、表示装置３０、警報器５０の動作内容を設定する動作設定情報を入力する装置である。
【００３０】
赤外線送信部４１は、例えば、赤外線ＬＥＤ等からなる赤外線発光素子（図示省略）を備え、ＩｒＤＡ（Ｉｎｆｒａｒｅｄ　Ｄａｔａ　Ａｓｓｏｃｉａｔｉｏｎ：赤外線データ通信協議会）で採択された赤外線データ通信に用いられる代表的な標準化方式に基づく通信プロトコルを制御する赤外線通信機能を有し、制御部４２から入力される動作設定情報に基づく光信号を赤外線受信部３２ａへ送信することにより、表示装置３０との間で無線通信を行う。
【００３１】
入力部４３は、例えば、図４に示すように、複数のコマンドキー４３ａやテンキー４３ｂを備え、かかるコマンドキー４３ａやテンキー４３ｂによる押下信号は制御部４２に出力される。そして、この入力部４３を用いて、各装置の動作設定情報を入力することができるようになっている。
【００３２】
表示部４４は、例えば、ＬＣＤなどにより構成され、制御部４２からの表示制御信号に基づいて表示がなされるようになっており、入力部４３により入力されたコマンド内容や数字が表示される。
【００３３】
制御部４２は、図示しないがＣＰＵやＲＡＭを備え、入力部４３により入力された動作設定情報を、赤外線送信部４１を介して表示装置３０の赤外線受信部３２ａに送信する制御を行う。
また、制御部４２は、入力部４３により入力された動作設定情報を表示部４４に表示させる表示制御信号を生成し、該表示制御信号を表示部４４に出力する。
【００３４】
警報器５０は、図示しない制御部を備え、この制御部は、表示装置３０から送信された動作設定情報に基づいて、警報器５０の各種動作設定を行う。
【００３５】
次に、上記のように構成された地震動計測システム１における動作設定処理について、図５に示すフローチャートを用いて説明する。
図５に示すように、本動作設定処理では、まずユーザは、リモコン装置４０の入力部４３を用いて動作設定情報の入力を行う（ステップＳ１）。すると、制御部４２は、入力部４３からの押下信号の入力に基づいて、入力された動作設定情報を表示部４４に表示させるための表示制御信号を表示部４４に出力して表示部４４に動作設定情報を表示させる（ステップＳ２）。
【００３６】
ユーザは、表示部４４に表示された動作設定情報を確認して間違いないと判断した場合には、送信ボタン４３ａａを押す。すると、送信ボタン４３ａａの押下信号が入力された制御部４２は、当該動作設定情報に基づく赤外線発光信号を赤外線送信部４１の赤外線発光素子（図示省略）から出力させる（ステップＳ３）。
【００３７】
次いで、表示装置３０の赤外線受信部３２ａは、この赤外線発光信号を受信し（ステップＳ４）、光電変換して動作設定情報とした後、制御部３３に出力する。
次いで、制御部３２は、当該動作設定情報が表示装置３０の動作設定に関する情報か否かを判別し（ステップＳ５）、表示装置３０の動作設定に関する情報でないと判別した場合には（ステップＳ５；Ｎｏ）、ステップＳ６に移行する。ステップＳ６では、制御部３２は、更に動作設定情報が振動検出器１１或いはデータ処理装置２０の動作設定に関するデータか、警報器５０の動作設定に関する情報かを判別し、その判別結果により、当該動作設定データを、Ｉ／Ｆ部３２ｂを介してデータ処理装置２０或いは警報器５０に出力する。
【００３８】
次いで、データ処理装置２０或いは警報器５０は動作設定情報を受信し（ステップＳ７）、動作設定情報を受信したデータ処理装置２０の制御部２３或いは警報器５０の制御部（図示省略）は、受信した動作設定情報に基づいて、動作設定を行う（ステップＳ８）。具体的には、例えば、動作設定情報が振動検出器１１の起動レベルの動作設定情報であるとした場合、データ処理装置１１は、かかる起動レベルに設定する。また、動作設定情報が警報器５０の電源をＯＦＦにする動作設定情報であるとした場合、警報器５０は、電源をＯＦＦに設定する。
【００３９】
一方、ステップＳ５において、制御部３２は、表示装置３０の動作設定に関するデータであると判別した場合（ステップＳ５；Ｙｅｓ）、制御部３２は、その動作設定情報に基づく動作設定を行う（ステップＳ９）。具体的には、動作設定データが表示の切り替えを行う設定情報であるとした場合、動作設定情報に応じた表示の切り替えを行う。
【００４０】
以上説明した第１の実施の形態における地震動計測システム１によれば、リモコン装置４０の入力部４３により入力した振動検出器１１とデータ処理装置２０のうち少なくとも何れか一方の動作内容が赤外線送信部４１により表示装置３０に無線通信され、表示装置３０の赤外線受信部３２ａによりデータ処理装置２０に送信されるので、振動検出器１１やデータ処理装置２０から遠隔した場所から表示装置３０を介して振動検出器１１やデータ処理装置２０の動作内容の設定を容易に行うことができる。
【００４１】
また、入力部４３により、表示装置３０の表示動作設定情報が設定され、赤外線送信部４１により表示装置３０に送信されるので、表示装置３０が壁面上部や天井等に設置された場合でも容易に表示動作設定を変更することができる。
また、入力部４３により警報器５０の警報動作内容を設定する警報動作設定情報が入力され、Ｉ／Ｆ部３２ｂにより警報動作設定情報が表示装置３０に送信されるとともに、Ｉ／Ｆ部３２ｂにより警報動作設定情報が警報器５０に送信されるので、警報器５０の動作設定も離れた位置から行うことができることとなって、警報器５０を有効に使うことができる。
即ち、例えば、警報器５０が手の届かない位置にあると、停止スイッチなどが押せないため、煩わしさがあるが、離れた場所から警報器５０の動作を設定可能なので、そうした煩わしさを解消することができ、有効に使うことができる。
【００４２】
なお、本発明は、上記実施の形態に限るものではなく、様々に変更してよい。例えば、振動検出器１１や表示装置３０の個数は任意である。また、処理データは、震度データ、警報データに限らず、地震統計データなど、地震動計測データから計算されるデータであれば、どのようなデータであってもよい。
【００４３】
【発明の効果】
請求項１記載の発明によれば、リモコン装置の動作設定入力部により入力した振動検出器とデータ処理装置のうち少なくとも何れか一方の動作内容を設定するための動作設定情報が送信部により表示装置に無線通信され、表示装置の通信部によりデータ処理装置に送信されるので、振動検出器やデータ処理装置から遠隔した場所から表示装置を介して振動検出器やデータ処理装置の動作内容の設定を容易に行うことができる。
【００４４】
請求項２記載の発明によれば、請求項１に記載の発明と同様の効果が得られることは無論のこと、特に、動作設定入力部により、表示装置の表示動作を設定するための表示動作設定情報が設定され、送信部により表示装置に送信されるので、表示装置が壁面上部や天井等に設置された場合でも容易に表示動作設定を変更することができる。
【００４５】
請求項３記載の発明によれば、請求項１又は２に記載の発明と同様の効果が得られることは無論のこと、特に、動作設定入力部により警報器の警報動作内容を設定するための警報動作設定情報が入力され、送信部により警報動作設定情報が表示装置に送信されるとともに、通信部により警報動作設定情報が警報器に送信されるので、警報器の動作設定も離れた位置から行うことができることとなって、警報器を有効に使うことができる。
【図面の簡単な説明】
【図１】本発明の地震動計測システムの主要システム構成を示すブロック図である。
【図２】本発明の表示装置の主要構成を示すブロック図である。
【図３】本発明のリモコン装置の主要構成を示すブロック図である。
【図４】本発明の外観を示す斜視図である。
【図５】本発明の動作設定処理を説明するためのフローチャートである。
【符号の説明】
１　　　地震動計測システム
１１　　　振動検出器
２０　　　データ処理装置
２３　　　ＣＰＵ
３０　　　表示装置
３２　　　通信部
３２ａ　　赤外線受信部
３２ｂ　　Ｉ／Ｆ部
４０　　　リモコン装置
４１　　　赤外線送信部（送信部）
４３　　　入力部（動作設定入力部）
５０　　　警報器
Ｎ１、Ｎ２　通信回線
【図１】
2004086481.tif 000003
【図２】
2004086481.tif 000004
【図３】
2004086481.tif 000005
【図４】
2004086481.tif 000006
【図５】
2004086481.tif 000007